(57)【要約】【課題】夜間の安全性を高めると共に、光反射材の耐久性を向上させる。【解決手段】傾斜面４、４ａ…から成る反射部５、５ａ…を縦横に複数設けた光反射材３を横長にすることによって、道先の状況を認識させ、光反射材を陶磁器製にすることで、耐久性を向上させる。【選択図】        図２
2004270349.tif 000002
【特許請求の範囲】
【請求項１】
傾斜面から成る反射部を縦横に複数設けた横長で陶磁器製の光反射材をブロック本体の正面又は上面に設けたことを特徴とする境界ブロック。
【請求項２】
反射部を上下車線に傾斜状に面する２傾斜面を有した角錘形の凹部と成したことを特徴とする請求項１記載の境界ブロック。
【請求項３】
光反射材をブロック本体に埋設して、ブロック本体と光反射材の最外表面を同一レベルに揃えたことを特徴とする請求項１又は２記載の境界ブロック。
【請求項４】
反射部の表面を光沢釉薬から成る反射層で形成したことを特徴とする請求項１、２又は３記載の境界ブロック。
【請求項５】
光沢釉薬に蓄光性顔料を含有させたことを特徴とする請求項４記載の境界ブロック。
【請求項６】
光沢釉薬に光触媒を含有させたことを特徴とする請求項４又は５記載の境界ブロック。
【発明の詳細な説明】
【０００１】
【発明の属する技術分野】
本発明は、車道と歩道の分離境界に設置する光反射材付の境界ブロックに関する。
【０００２】
【従来の技術】
従来、車道と歩道の分離境界にはコンクリート製の境界ブロックが連続設置されており、例えば数ｍ置きの適宜間隔ごとに、夜間に道端、道先の状況を示して自動車を安全に誘導する光反射材付のものが配設されている。
この様な光反射材付の境界ブロックとしては、ブロック本体の正面（車道側）に台形の凹部を設け、該凹部両側の傾斜面にプラスチック製の光反射材を取付けたものが知られている。
ところが、台形凹部の傾斜面は狭く、この狭い２箇所に取付けられて境界ブロック中に点在するだけの小さな光反射材では、その存在だけしか示せず、道先が直進なのか、カーブしているか等の状況をドライバーに認識させるには不十分であった。
又、プラスチックは耐久性が低く、経年により劣化し、ひび割れたり、変質して光反射力が低下した場合、交換を必要としていた。
【０００３】
研究開発段階や出願段階で先行技術調査を行っておらず、記載すべき先行技術文献を知りません。
【０００４】
【発明が解決しようとする課題】
本発明は、夜間の安全性を高めると共に、光反射材の耐久性を向上させた境界ブロックを提供する。
【０００５】
【課題を解決するための手段】
本発明は、上記従来技術に基づく、夜間の安全性を高めると共に、光反射材の耐久性を向上させねばならない課題に鑑み、傾斜面から成る反射部を縦横に複数設けた光反射材を横長にすることによって、道先の状況を認識させ、光反射材を陶磁器製にすることで、耐久性を向上させる様にして、上記課題を解決する。
【０００６】
【発明の実施の形態】
以下本発明の一実施例を図面に基づいて説明する。
図１〜３は本発明に係る境界ブロックを示す図であり、図１はブロック本体の正面に光反射材を設けた境界ブロックの斜視図、図２は図１のＡーＡ断面図、図３は境界ブロックの要部拡大水平断面図で光線状況を示す図である。
本発明に係る境界ブロックは、横長のコンクリート製ブロック本体１の正面２（車道側）に陶磁器製にして矩形横長の光反射材３を設けている。
光反射材３は、その表面側に、上下車線に傾斜状に面する２傾斜面を有する傾斜面４、４ａ…から成る反射部５、５ａ…を、縦横に複数設けており、本実施例のものでは、反射部５、５ａ…を四角錐形の凹部と成し、該凹部の表面を光沢釉薬から成る反射層６で形成している。
光沢釉薬は、顔料を添加して明度が高い色彩に着色したものが良く、蓄光性顔料を含有させたり、二酸化チタンの様な光触媒を含有させても良い。
又、陶磁器の光反射材３は裏面に裏足７を設けてブロック本体１に埋設され、ブロック本体１と光反射材３の最外表面を同一レベルに揃えている。
【０００７】
次に本発明の境界ブロックの製造方法について説明する。
ブロック本体１の外形に対応させた成形型を作製し、該成形型の側面の内側中央に両面に粘着層を有するテープを貼付け、該テープに光反射材３の表面を当接させて成形型内の所定箇所に光反射材３を固定する。
次いで、成形型内にコンクリートを流し込み、コンクリートの養生後に型抜きする。
【０００８】
この製造方法によれば、ブロック本体１の正面２と光反射材３の最外面を同一レベルに揃えた境界ブロックが得られ、又光反射材３の裏足７とコンクリートが密着固定され、光反射材３の後付け加工は不要である。
尚、ブロック本体の正面に台形凹部を形成し、該凹部内にプラスチック製の光反射材を取付けた従来品の場合、成形型の底をブロック本体上面の成形面とし、成形型の側面内側にブロック本体正面の凹部に対応させた凸部を設ける必要があり、複数個に分割可能な成形型でなければ成形品の型抜きが出来ないが、本件発明品の場合は、成形型内に凸部を設ける必要がなく、分割可能な成形型にする必要もなく、成形型の作製及び境界ブロックの成形が簡単である。
更に、成形された境界ブロックにプラスチック製の光反射材を取付ける２段階の工程が不要である。
【０００９】
本実施例では、光反射材３をブロック本体１の正面２の中央に設けているが、設定箇所を変更しても良く、例えばブロック本体１の上面８、又は正面２及び上面８の両方に設けても良い。
又、複数個の光反射材３をブロック本体１の長手方向に並べて帯状に設けても良く、反射部５、５ａ…において少なくとも上下車線に傾斜状に面する２傾斜面を有すれば、四角錐形以外の凹部と成しても良く、更に、傾斜面４、４ａ…の傾斜角度も変更可能であり、光反射材３の一部又は全部がブロック本体１の表面より突出したものとしても良い。
【００１０】
次に本発明の境界ブロックの作用について説明する。
走行により進行方向に沿って点在する光反射材３は、自動車のヘッドライトの照射光、街路灯、その他の光線により、近いものから順に進行方向に沿って全体的に細長状に明るく見え、流れる様に移動する。
【００１１】
更に、光反射材３は、横方向に長く反射部５、５ａ…を縦横に並べて複数設けており、主照射光である自動車のヘッドライトの光線は、境界ブロックの光反射材３に対して、上方且つ側方から斜めに入り、且つドライバーの視線も同様に斜めである。
反射部５、５ａ…の個々の傾斜面４、４ａ…と自動車からの照射光（図３参照）が成す角度は夫々異なり、夫々の傾斜面４、４ａ…で反射された光の進行方向も個々に異なり、且つ、個々の傾斜面４、４ａ…と視線が成す角度も夫々異なる。
そして、反射光はレベル差を有した正反射光と乱反射光があり、手前側の乱反射光の視認が多くなって、光反射材３の手前部位が周囲に比して明るくなり、ドライバーは道路が前方に続いていることを把握する。
【００１２】
そして、道路がカーブしていれば、光反射材３も傾斜しているので、右カーブは全体的に明るく見え、左カーブは全体的に暗く見え、直線路か否かの判断も行える。
【００１３】
尚、図示のものでは１回反射のものを示したが、ヘッドライト、街路灯等の光線は幾つかの傾斜面４、４ａ…で反射を繰り返して出射される光線もあり、ヘッドライト等と光反射材３の高さが相違していても、ドライバーは明るくなった光反射材３を視認することが出来る。
【００１４】
【発明の効果】
要するに本発明は、光反射材３の傾斜面４、４ａ…から成る反射部５、５ａ…を縦横に複数としたので、入射光、出射光の角度が様々であっても、多数位置での傾斜面４、４ａ…の配置、傾斜面４、４ａ…に対する視線の様々な角度により、面単位で確実に光反射材３を視認して境界や道先を把握することが出来、又大きな面単位で帯状に光ることから、他の光源と見間違うことがなく、自動車をより安全に誘導することが出来、又光反射材３を横長にしたので、進行方向に沿った道路存在や直進路か否か等の道先状況をドライバーは認識することが出来る。
光反射材３を陶磁器製としたので、半永久的に劣化せずメンテナンスを不要にして、設置後の管理費を低減することが出来たり、形枠所定位置に配置するだけで、裏足７とコンクリートが密着し、ブロックの硬化時に取付固定することが出来る。
【００１５】
反射部５、５ａ…を上下車線に傾斜状に面する２傾斜面を有した角錘形の凹部と成したので、夫々異なる方向を向いている各傾斜面４、４ａ…で、上下車線の走行車輌が道先等を確認することが出来、又複数回の反射により、各種方向からの入射光で光反射材３の視認を行うことが出来る。
【００１６】
光反射材３をブロック本体１に埋設して、ブロック本体１と光反射材３の最外表面を同一レベルに揃えたので、ブロック本体１からの突出物を皆無にすることで、歩行者や自動車のタイヤとの接触を防止して、安全性を向上させることが出来ると共に、外観の向上を図ることが出来、その製造も容易に行うことが出来る。
【００１７】
反射部５、５ａ…の表面を光沢釉薬から成る反射層で形成したので、表面光沢を増すことにより、光反射効率を高めることが出来る。
【００１８】
光沢釉薬に蓄光性顔料を含有させたので、非受光時でも自ら発光することにより、遠くからでも認識できるだけでなく、光源を携帯していない歩行者にも境界を認識させることが出来る。
【００１９】
光沢釉薬に光触媒を含有させたので、光反射材３に付着した汚れを昼間に光触媒が酸化分解することにより、光反射材３はセルフクリーニングし、夜間の光反射状態を良好に保つことが出来る等その実用的効果甚だ大である。
【図面の簡単な説明】
【図１】本発明に係る境界ブロックの斜見図である。
【図２】図１のＡーＡ断面図である。
【図３】境界ブロックの要部拡大水平断面図である。
【符号の説明】
１        ブロック本体
２        正面
３        光反射材
４、４ａ…  傾斜面
５、５ａ…  反射部
６        反射層
７        裏足
８        上面
【図１】
2004270349.tif 000003
【図２】
2004270349.tif 000004
【図３】
2004270349.tif 000005